(57)【要約】【課題】原稿読取台から複数ページの原画像を１ページ分ずつ読み取り、印刷を行う場合に、同一の用紙サイズの印刷物を出力することが可能な画像形成装置を提供する。【解決手段】画像形成装置１は画像読取部４、画像処理部２２、記憶部２３、表示部５ｗ及び制御部２１を備える。画像読取部４は原稿読取台４ｔから原稿１ページ分の原画像を読み取る。画像処理部２２は画像読取部４が読み取った原画像に基づいて出力する用紙のサイズを導出する。記憶部２３は画像処理部２２が導出した用紙サイズの履歴を記憶する。表示部５ｗは印刷に係る情報を表示する。制御部２１は画像処理部２２が直前に導出した用紙サイズと記憶部２３を参照して得た以前の用紙サイズとを比較して異なる場合に直前に導出した用紙サイズが以前の用紙サイズと異なることを表示部５ｗに表示させる。【選択図】図２
2018186336.tif 000002
【特許請求の範囲】
【請求項１】
原稿読取台を有するとともに前記原稿読取台から原稿１ページ分の原画像を読み取る画像読取部と、
前記画像読取部が読み取った原画像に基づいて出力する用紙のサイズを導出する画像処理部と、
前記画像処理部が導出した用紙サイズの履歴を記憶する記憶部と、
印刷に係る情報を表示する表示部と、
前記画像処理部が直前に導出した用紙サイズと前記記憶部を参照して得た以前の用紙サイズとを比較して異なる場合に直前に導出した用紙サイズが以前の用紙サイズと異なることを前記表示部に表示させる制御部と、
を備えることを特徴とする画像形成装置。
【請求項２】
前記記憶部に記憶された同一サイズの用紙が所定枚数以上である場合に、当該用紙サイズを前記以前の用紙サイズとして設定することを特徴とする請求項１に記載の画像形成装置。
【請求項３】
前記記憶部に記憶された同一サイズの用紙が、サイズを直前に導出した用紙の１枚前の用紙まで連続して所定枚数以上である場合に、当該用紙サイズを前記以前の用紙サイズとして設定することを特徴とする請求項１に記載の画像形成装置。
【請求項４】
前記記憶部が複数のユーザーに対して個別に用紙サイズを記憶することを特徴とする請求項２または請求項３に記載の画像形成装置。
【請求項５】
前記制御部は、所定期間以内で連続する原画像の読み取り処理を１回のジョブと判定し、当該ジョブにおいて前記直前に導出した用紙サイズと前記以前の用紙サイズとを比較することを特徴とする請求項１に記載の画像形成装置。
【請求項６】
原稿の厚さを検知するための原稿厚さ検知部を備え、
前記制御部は、前記原稿厚さ検知部を用いて検知した原稿厚さが所定値以上である場合に、所定期間以内で連続する原画像の読み取り処理を１回の前記ジョブと判定することを特徴とする請求項５に記載の画像形成装置。
【請求項７】
原画像の読み取りの再実行に係る入力を受け付ける入力部を備え、
前記制御部は、前記入力部を介して原画像の読み取りの再実行を受け付けた場合に、前記画像読取部に原画像の読み取りを再実行させることを特徴とする請求項１から請求項６のいずれかに記載の画像形成装置。
【請求項８】
同一の用紙サイズで出力する運転モードを有し、
前記運転モードの選択に係る入力を受け付ける入力部を備え、
前記制御部は、前記運転モードを前記表示部に表示させた後、前記入力部を介して前記運転モードの選択を受け付けた場合に、以降出力するすべての用紙サイズを前記運転モードを利用して選択された用紙サイズに設定することを特徴とする請求項１から請求項６のいずれかに記載の画像形成装置。
【発明の詳細な説明】
【技術分野】
【０００１】
本発明は、画像形成装置に関する。
【背景技術】
【０００２】
複写機などの画像形成装置において、原稿から読み取った原画像を適正なサイズの用紙に印刷する技術が注目されている。このような画像形成装置に係る従来技術の例が特許文献１に開示されている。
【０００３】
特許文献１に記載された従来の画像処理装置は複数の原稿を給送して各々の原画像を読み取る際に、異なるサイズの原稿を給送することを指示されない場合において、異なるサイズの原稿が給送されたと判断された場合に、当該判断された原稿サイズに従って原稿サイズを変更して画像を処理する。これにより、不要な原稿を読み取らないようにすることができる。
【先行技術文献】
【特許文献】
【０００４】
【特許文献１】特開平１１−３３１５６９号公報
【発明の概要】
【発明が解決しようとする課題】
【０００５】
ユーザーは画像形成装置を利用して、複数枚の原稿を原稿読取台に１枚ずつ載置して原画像を読み取らせたり、書籍を原稿読取台に載置して１ページずつ原画像を読み取らせたりして、コピーさせる場合がある。この場合に、複数ページの原稿すべてが同一サイズであるにもかかわらず、原稿や書籍の置き方次第で、異なる用紙サイズの印刷物が出力されてしまうことがある。すなわち、従来技術ではユーザーが同一サイズであると思い込んだ複数ページの原稿に対する原画像の読み取り、及びそれらの印刷を実行したところ、異なる用紙サイズの印刷物が意図せず出力されてしまうことに対応していないことに課題があった。
【０００６】
本発明は、上記の点に鑑みなされたものであり、原稿読取台から複数ページの原画像を１ページ分ずつ読み取り、それらの印刷を行う場合に、ユーザーが望む同一の用紙サイズの印刷物を出力することが可能な画像形成装置を提供することを目的とする。
【課題を解決するための手段】
【０００７】
上記の課題を解決するため、本発明の画像形成装置は画像読取部、画像処理部、記憶部、表示部及び制御部を備える。前記画像読取部は原稿読取台を有するとともに前記原稿読取台から原稿１ページ分の原画像を読み取る。前記画像処理部は前記画像読取部が読み取った原画像に基づいて出力する用紙のサイズを導出する。前記記憶部は前記画像処理部が導出した用紙サイズの履歴を記憶する。前記表示部は印刷に係る情報を表示する。前記制御部は前記画像処理部が直前に導出した用紙サイズと前記記憶部を参照して得た以前の用紙サイズとを比較して異なる場合に直前に導出した用紙サイズが以前の用紙サイズと異なることを前記表示部に表示させる。
【発明の効果】
【０００８】
本発明の構成によれば、ユーザーは画像形成装置の原稿読取台を利用して複数ページの原画像を１ページ分ずつ読み取らせるときに、出力される用紙サイズが以前の用紙サイズと異なることを表示部を見て確認することができる。それに基づき、ユーザーは、例えば原画像の読み取りを再実行するなどの対応をとることができる。したがって、画像形成装置は原稿読取台から複数ページの原画像を１ページ分ずつ読み取り、それらの印刷を行う場合に、ユーザーが望む同一の用紙サイズの印刷物を出力することが可能になる。
【図面の簡単な説明】
【０００９】
【図１】本発明の第１実施形態の画像形成装置の構成を示すブロック図である。
【図２】本発明の第１実施形態の画像形成装置の画像読取処理の例を示すフローチャートである。
【図３】本発明の第２実施形態の画像形成装置の構成を示すブロック図である。
【図４】本発明の第２実施形態の画像形成装置の画像読取処理の例を示すフローチャートである。
【発明を実施するための形態】
【００１０】
以下、本発明の実施形態を図に基づき説明する。なお、本発明は以下の内容に限定されるものではない。
【００１１】
＜第１実施形態＞
最初に、本発明の第１実施形態の画像形成装置について、図１を用いてその構造を説明する。図１は画像形成装置の構成を示すブロック図である。この画像形成装置はコピー（印刷）、スキャン（画像読取）、ファクシミリ送信等の複数の機能を備えた所謂複合機である。
【００１２】
画像形成装置１は、図１に示す制御ユニット２０及び記憶部２３を備える。制御ユニット２０は制御部２１、画像処理部２２、その他の不図示の電子回路や電子部品を含む。制御部２１は記憶部２３に記憶された制御用のプログラムやデータに基づき、画像形成装置１に設けられた各構成要素の動作を制御して画像形成装置１の機能に係る処理を実行する。画像処理部２２は印刷や画像読取、送信に用いる画像データに対して画像処理を行う。記憶部２３は例えば不図示のプログラムＲＯＭ、データＲＯＭなどといった不揮発性の記憶装置と、ＲＡＭのような揮発性の記憶装置との組み合わせから成る。
【００１３】
画像形成装置１の上部には原稿搬送部３及び画像読取部４が設けられる。画像読取部４は、その上面に載置された原稿や書籍から原画像を１ページ分ずつ読み取るための原稿読取台４ｔを有する。ユーザーが画像形成装置１にコピージョブ、スキャンジョブを実行させる場合、文字や図形、模様などの画像が描かれた原稿を原稿搬送部３に積載したり、原稿や書籍を画像読取部４の原稿読取台４ｔの上に載置したりする。制御部２１は原稿搬送部３及び画像読取部４に動作指示を与え、原稿に描かれた画像を読み取らせる。画像読取部４が読み取った原画像の画像データは記憶部２３等に一時的に記憶される。
【００１４】
画像形成装置１の上部であって画像読取部４の正面側には入力部である操作パネル５が設けられる。操作パネル５は表示部５ｗを含む。操作パネル５はユーザーが画像形成装置１にコピー（印刷）ジョブ、スキャン（画像読取）ジョブ、ファクシミリ送信ジョブを実行させる指令等を受け付ける。操作パネル５は、例えば印刷に使用する用紙の種類やサイズ、拡大縮小、両面印刷の有無といった印刷条件などの設定を受け付けたり、ファクシミリ送信におけるファックス番号や送信者名などの設定の入力を受け付けたりする。さらに、操作パネル５は、例えば装置の状態や注意事項、エラーメッセージなどを表示部５ｗに表示することによって、それらをユーザーに対して報知するための報知部としての役割も果たす。操作パネル５が受け付けた入力情報は制御部２１に送信される。
【００１５】
画像形成装置１は画像読取部４より下方の部分に印刷ジョブを実行するための印刷部６を備える。印刷部６は給紙部７、用紙搬送部８、露光部９、画像形成部１０、転写部１１及び定着部１２を含む。給紙部７は複数枚の用紙を収容し、印刷時に用紙を送り出す。用紙搬送部８は給紙部７から送り出された用紙を搬送し、定着後の用紙を装置の外部に排出する。用紙搬送部８の各所には用紙の存在を検知する用紙検知センサ（不図示）が配置され、その用紙検知情報が制御部２１に送信される。露光部９は画像データに基づき制御されたレーザ光を画像形成部１０に向かって照射する。画像形成部１０は露光部９によって照射されたレーザ光により原稿画像の静電潜像を形成し、この静電潜像にトナーを付着させて現像してトナー像を形成する。転写部１１は画像形成部１０で形成したトナー像を用紙に転写する。定着部１２はトナー像が転写された用紙を加熱、加圧してトナー像を用紙に定着させる。このような印刷部６の印刷動作を制御部２１が制御する。
【００１６】
そして、画像形成装置１の制御部２１は、原稿読取台４ｔから複数ページの原画像を１ページ分ずつ読み取る場合の画像読取動作において、続く印刷動作で一定の用紙サイズで印刷物を出力するための処理を実行する。
【００１７】
このため、制御部２１は画像処理部２２に、画像読取部４が読み取った原稿や書籍の原画像に基づいて出力する用紙のサイズを導出させる。記憶部２３は画像処理部２２が導出した用紙サイズの履歴を記憶する。そして、制御部２１は画像処理部２２が直前に導出した用紙サイズと、それ以前の用紙サイズとを比較する。
【００１８】
直前に導出した用紙サイズと、それ以前の用紙サイズとの比較については、１ページ分ずつ逐次比較しても良い。また、記憶部２３に記憶された同一サイズの用紙が所定枚数以上である場合に、当該用紙サイズを上記以前の用紙サイズとして設定しても良い。また、記憶部２３に記憶された同一サイズの用紙が、サイズを直前に導出した用紙の１枚前の用紙まで連続して所定枚数以上である場合に、当該用紙サイズを上記以前の用紙サイズとして設定しても良い。
【００１９】
オフィス等で複数のユーザーが１台の画像形成装置１を使用する場合、ユーザーを識別するためのログイン機能を画像形成装置１に設けることが好ましい。この場合、記憶部２３が複数のユーザーに対して個別に用紙サイズを記憶する。上記以前の用紙サイズは各ユーザーの履歴から、例えば最も多く出力した用紙サイズが設定される。或いは、各ユーザーの履歴から、例えば過去の１回のログイン中において出力した同一サイズの用紙が所定枚数以上である場合に、当該用紙サイズが上記以前の用紙サイズとして設定される。
【００２０】
また、制御部２１は所定期間以内で連続する原画像の読み取り処理を１回のジョブと判定し、当該ジョブにおいて直前に導出した用紙サイズと、それ以前の用紙サイズとを比較することにしても良い。
【００２１】
そして、制御部２１は直前に導出した用紙サイズがそれ以前の用紙サイズと異なる場合に、その異なることを表示部５ｗに表示させる。ユーザーは、直前に原画像を読み取らせたページに対して出力される用紙サイズがそれ以前の用紙サイズと異なることを表示部５ｗを見て確認することができる。
【００２２】
続いて、画像形成装置１はユーザーから、原画像の読み取りの再実行と、同一の用紙サイズで出力する運転モードの選択とのいずれかの入力を入力部である操作パネル５を介して受け付けることができる。
【００２３】
同一の用紙サイズで出力する運転モードとしては、例えば連続読み込みモード、用紙選択モード等がある。連続読み込みモードは、ユーザーが読み込みの終了に係るキーやボタンを押下するまで、複数ページ分の原稿、書籍の原画像を一括して読み取る。その後、同一の用紙サイズで出力することができる。用紙選択モードでは、使用したいサイズの用紙が入った給紙部７の給紙カセット、手差しトレイを選択することができる。
【００２４】
制御部２１は、原画像の読み取りの再実行を受け付けた場合に、画像読取部４に原画像の読み取りを再実行させる。また、制御部２１は、運転モードの選択を受け付けた場合に、以降出力するすべての用紙サイズを運転モードを利用して選択された用紙サイズに設定する。
【００２５】
続いて、画像形成装置１による画像読取処理の一例について、図２に示すフローに沿って説明する。図２は画像形成装置１の画像読取処理の例を示すフローチャートである。
【００２６】
画像形成装置１においてコピージョブを受け付けると画像読取動作が開始される（図２のスタート）。
【００２７】
ステップ＃１０１では、例えばユーザーによって原稿読取台４ｔに原稿が載置され、操作パネル５からスタートキーが押下される。
【００２８】
ステップ＃１０２では、画像読取部４によって原画像の画像データが読み取られる。原画像の画像データは記憶部２３に記憶される。
【００２９】
ステップ＃１０３では、画像処理部２２が、画像読取部４が読み取った原画像の画像データに基づいて印刷物として出力する用紙のサイズを導出する。ここで導出された用紙サイズは記憶部２３に記憶される。記憶部２３は画像処理部２２が導出した用紙サイズの履歴を記憶する。
【００３０】
ステップ＃１０４では、制御部２１が、画像処理部２２が直前に導出した用紙サイズと、それ以前の用紙サイズとを比較する。なお、制御部２１は記憶部２３を参照して以前の用紙サイズを得る。
【００３１】
ステップ＃１０５では、制御部２１が、画像処理部２２が直前に導出した用紙サイズと、それ以前の用紙サイズとが同一であるか否かを判定する。２つの用紙サイズが同一である場合はステップ＃１０１に戻って、次の原画像の読み取りに備える。２つの用紙サイズが同一ではなく、異なる場合はステップ＃１０６に移行する。
【００３２】
ステップ＃１０６では、制御部２１が、導出した用紙サイズがそれ以前の用紙サイズと異なることを表示部５ｗに表示させる。ユーザーは、直前に原画像を読み取らせたページに対して出力される用紙サイズがそれ以前の用紙サイズと異なることを表示部５ｗを見て確認することができる。
【００３３】
ステップ＃１０７では、制御部２１がユーザーから画像読取処理の選択を受け付ける。ユーザーは原画像の読み取りの再実行、同一の用紙サイズで出力する運転モードの選択のいずれかを選択し、入力する。このとき、表示部５ｗには、２つの用紙サイズが同一ではなく、異なる旨のメッセージとともに、上記選択を受け付けるための画像（キー、ボタン）等が表示される。
【００３４】
ユーザーが原画像の読み取りの再実行を選択した場合はステップ＃１０８に移行する。ユーザーが運転モードを選択した場合はステップ＃１１０に移行する。
【００３５】
ステップ＃１０８では、制御部２１が、直前に画像読取部４が読み取った原画像の画像データを破棄する。
【００３６】
ステップ＃１０９では、制御部２１が、原画像の読み取りの再操作に係る指示を表示部５ｗに表示させる。例えば、表示部５ｗはユーザーに対して、直前に画像読取部４が読み取った原画像に対応する原稿のページを再度原稿読取台４ｔに載置することと、スタートキーを押下することとを促す表示を行う。
【００３７】
ステップ＃１１０では、制御部２１が、直前に画像読取部４が読み取った原画像の画像データを破棄する。
【００３８】
ステップ＃１１１では、制御部２１が、同一の用紙サイズで出力する運転モードを表示部５ｗに表示させる。
【００３９】
ステップ＃１１２では、制御部２１がステップ＃１１１において表示部５ｗに表示させた運転モードのうち、ユーザーが実行したい運転モードの選択を受け付ける。
【００４０】
ステップ＃１１３では、ステップ＃１１２においてユーザーが選択した運転モードに基づいて原画像の読取処理が継続される。この運転モードに基づく原画像の読取処理では、ステップ＃１０１及びステップ＃１０２同様、原稿の載置、スタートキーの押下及び原画像の読み取りに係る処理は実行されるが、ステップ＃１０３以降の用紙サイズの比較に係る処理は実行されない。制御部２１は、以降出力するすべての用紙サイズを運転モードを利用してユーザーによって選択された用紙サイズに設定する。
【００４１】
上記実施形態のように、画像形成装置１は画像読取部４、画像処理部２２、記憶部２３、表示部５ｗ及び制御部２１を備える。画像読取部４は原稿読取台４ｔを有するとともに原稿読取台４ｔから原稿１ページ分の原画像を読み取る。画像処理部２２は画像読取部４が読み取った原画像に基づいて出力する用紙のサイズを導出する。記憶部２３は画像処理部２２が導出した用紙サイズの履歴を記憶する。表示部５ｗは印刷に係る情報を表示する。制御部２１は画像処理部２２が直前に導出した用紙サイズと記憶部２３を参照して得た以前の用紙サイズとを比較して異なる場合に直前に導出した用紙サイズが以前の用紙サイズと異なることを表示部５ｗに表示させる。
【００４２】
この構成によると、ユーザーは画像形成装置１の原稿読取台４ｔを利用して複数ページの原画像を１ページ分ずつ読み取らせるときに、出力される用紙サイズが以前の用紙サイズと異なることを表示部５ｗを見て確認することができる。それに基づき、ユーザーは、例えば原画像の読み取りを再実行するなどの対応をとることができる。したがって、画像形成装置１は原稿読取台４ｔから複数ページの原画像を１ページ分ずつ読み取り、それらの印刷を行う場合に、ユーザーが望む同一の用紙サイズの印刷物を出力することが可能になる。
【００４３】
また、画像形成装置１では、記憶部２３に記憶された同一サイズの用紙が所定枚数以上である場合に、当該用紙サイズを上記以前の用紙サイズとして設定する。
【００４４】
この構成によると、ユーザーが頻繁に印刷する用紙サイズを把握することができる。したがって、ユーザーが望む印刷物の用紙サイズを容易に、以前の用紙サイズとして設定することが可能になる。
【００４５】
また、画像形成装置１では、記憶部２３に記憶された同一サイズの用紙が、サイズを直前に導出した用紙の１枚前の用紙まで連続して所定枚数以上である場合に、当該用紙サイズを上記以前の用紙サイズとして設定する。
【００４６】
この構成によると、ユーザーが直近のコピー作業において頻繁に印刷する用紙サイズを把握することができる。したがって、特に直近のコピー作業において、ユーザーが望む印刷物の用紙サイズを容易に、以前の用紙サイズとして設定することが可能になる。
【００４７】
また、画像形成装置１では、記憶部２３が複数のユーザーに対して個別に用紙サイズを記憶するので、複数のユーザーに対して個別に、頻繁に印刷する用紙サイズを把握することができる。
【００４８】
また、画像形成装置１の制御部２１は、所定期間以内で連続する原画像の読み取り処理を１回のジョブと判定し、当該ジョブにおいて直前に導出した用紙サイズと上記以前の用紙サイズとを比較する。
【００４９】
この構成によると、１回のジョブ中において、ユーザーが望む同一の用紙サイズの印刷物を出力することが可能になる。
【００５０】
また、画像形成装置１は原画像の読み取りの再実行に係る入力を受け付ける入力部である操作パネル５を備える。制御部２１は、操作パネル５を介して原画像の読み取りの再実行を受け付けた場合に、画像読取部４に原画像の読み取りを再実行させる。
【００５１】
この構成によると、ユーザーは出力される用紙サイズが以前の用紙サイズと異なることを表示部５ｗを見て確認した後、原画像の読み取りを再実行するという対応をとることができる。これにより、ユーザーは画像形成装置１に用紙サイズが異なると判定された原画像の読み取りを再実行させて、同一の用紙サイズの印刷物を得ることが可能になる。
【００５２】
また、画像形成装置１は同一の用紙サイズで出力する運転モードを有する。制御部２１は、当該運転モードを表示部５ｗに表示させた後、操作パネル５を介して運転モードの選択を受け付けた場合に、以降出力するすべての用紙サイズを運転モードを利用して選択された用紙サイズに設定する。
【００５３】
この構成によると、ユーザーは出力される用紙サイズが以前の用紙サイズと異なることを表示部５ｗを見て確認した後、同一の用紙サイズで出力する運転モードを選択するという対応をとることができる。これにより、ユーザーは画像形成装置１に以降出力するすべての用紙サイズを当該運転モードを利用して選択した用紙サイズに設定させて、同一の用紙サイズの印刷物を得ることが可能になる。
【００５４】
＜第２実施形態＞
次に、本発明の第２実施形態の画像形成装置について、図３及び図４を用いて説明する。図３は画像形成装置の構成を示すブロック図である。図４は画像形成装置の画像読取処理の例を示すフローチャートである。なお、この実施形態の基本的な構成は先に説明した第１実施形態と同じであるので、第１実施形態と共通する構成要素には前と同じ符号または同じ名称を付してその説明を省略する場合がある。
【００５５】
第２実施形態の画像形成装置１は、図３に示す画像読取部４が原稿厚さ検知部４ｓを備える。原稿厚さ検知部４ｓは例えば反射型光センサで構成され、原稿読取台４ｔの原稿読取領域外に配置される。原稿厚さ検知部４ｓは原稿読取台４ｔの上方空間に向けて光を出射する発光部と、その光が不図示の原稿押さえ板の下面で反射した反射光を受ける受光部とを備える。この構成により、画像形成装置１は原稿厚さ検知部４ｓを用いて原稿読取台４ｔに載置された原稿の厚さを検知することができる。
【００５６】
第２実施形態の画像形成装置１においてコピージョブを受け付けると画像読取動作が開始される（図４のスタート）。
【００５７】
ステップ＃２０１では、例えばユーザーによって原稿読取台４ｔに原稿が載置され、操作パネル５からスタートキーが押下される。
【００５８】
ステップ＃２０２では、制御部２１が、原稿厚さ検知部４ｓを用いて原稿読取台４ｔに載置された原稿の厚さ検知する。
【００５９】
ステップ＃２０３では、制御部２１が、原稿厚さが所定値以上であるか否かを判定する。原稿厚さが所定値以上である場合はステップ＃２０４に移行する。原稿厚さが所定値未満である場合はステップ＃２０５に移行する。
【００６０】
ステップ＃２０４では、制御部２１が、所定期間以内で連続する原画像の読み取り処理を１回の前記ジョブと判定する。すなわち、画像形成装置１では、厚さが所定値以上である原稿について所定期間以内で原画像の読み取り処理が連続する場合、例えば書籍のコピージョブであると判定される。
【００６１】
ステップ＃２０５以下の処理は、第１実施形態で説明した図２に示すステップ＃１０２以下の処理と同じであるので説明を省略する。すなわち、当該書籍のコピージョブにおいて、制御部２１は画像処理部２２が直前に導出した用紙サイズと記憶部２３を参照して得た以前の用紙サイズとを比較して異なる場合に、直前に導出した用紙サイズが以前の用紙サイズと異なることを表示部５ｗに表示させる。そして、制御部２１はユーザーから、原画像の読み取りの再実行を受け付ける、或いは同一の用紙サイズで出力する運転モードの選択の受け付ける。
【００６２】
上記第２実施形態の構成によれば、原稿厚さが所定値以上である場合に、所定期間以内で連続する原画像の読み取り処理が１回のジョブ（例えば書籍のコピージョブ）と判定される。これにより、書籍の複数のページをコピーした印刷物をすべて同一の用紙サイズで得ることが可能になる。
【００６３】
以上、本発明の実施形態につき説明したが、本発明の範囲はこれに限定されるものではなく、発明の主旨を逸脱しない範囲で種々の変更を加えて実施することができる。
【産業上の利用可能性】
【００６４】
本発明は画像形成装置において利用可能である。
【符号の説明】
【００６５】
１    画像形成装置
４    画像読取部
４ｓ    原稿厚さ検知部
４ｔ    原稿読取台
５    操作パネル（入力部）
５ｗ    表示部
６    印刷部
２０    制御ユニット
２１    制御部
２２    画像処理部
２３    記憶部
【図１】
2018186336.tif 000003
【図２】
2018186336.tif 000004
【図３】
2018186336.tif 000005
【図４】
2018186336.tif 000006